(57)【要約】  エンジンケーシング（４）に接続されたステータ（３）およびホイールシャフト（６）に接続されたロータ（５）を有するエンジンカートリッジ（２）と、ホイールシャフト（６）に接続されたブレーキディスクのディスク（７）と、ディスク（７）の両側に配置されかつエンジンケーシング（４）に接続されたディスクブレーキキャリパ（８）とを備える、自動車両および制動に用いる電気モータアセンブリ（１）。
2018511517.tif 000002
【特許請求の範囲】
【請求項１】
エンジンケーシング（４）に接続されたステータ（３）と、ホイールシャフト（６）に接続されたロータ（５）とを有するエンジンカートリッジ（２）と、
前記ホイールシャフト（６）に接続されたブレーキディスクのディスク（７）と、
前記ディスク（７）の両側に配置されかつ前記エンジンケーシング（４）に接続されたディスクブレーキキャリパ（８）と
を備える、自動車両および制動に用いる電気モータアセンブリ（１）。
【請求項２】
請求項１の電気モータアセンブリ（１）において、
前記ホイールシャフト（６）が、内部ベアリングフィフスホイール（９）を形成する、および／または、
前記内部ベアリングホイール（９）が、フィフスホイールベアリング（１０）に接合されている、および／または、
前記エンジンケーシング（４）が、前記フィフスホイールベアリング（１０）にキー結合されている、および／または、
前記ホイールシャフト（６）が、前記エンジンケーシング（４）回りに回転するように支持されている、電気モータアセンブリ（１）。
【請求項３】
請求項１または２の電気モータアセンブリ（１）において、
前記電気モータアセンブリ（１）が、前記エンジンケーシング（４）に堅く取り付けられた自動車両用のフォーク（１１）を備える、および／または、
前記電気モータアセンブリ（１）が、前記エンジンケーシング（４）と一体の自動車両用のフォーク（１１）を備える、および/または、
前記ディスク（７）が、前記フォーク（１１）と平行または同一平面上に配置され、前記エンジンカートリッジ（２）に対向している、および／または、
前記ディスク（７）が、前記フォーク（１１）および前記エンジンカートリッジ（２）の間に配置されている、電気モータアセンブリ（１）。
【請求項４】
請求項１から３のいずれか１つの電気モータアセンブリ（１）において、
前記電気モータアセンブリ（１）が、前記フォーク（１１）あるいは前記エンジンケーシング（４）に堅く接続された、または、前記フォーク（１１）あるいは前記エンジンケーシング（４）と一体の、第１ハーフキャリパ（１２）を備え、
前記アセンブリが、さらに、前記第１ハーフキャリパ（１２）に結合された反対側に結合可能な第２ハーフキャリパ（１３）を備え、前記ディスク（７）の両側に前記第１ハーフキャリパ（１２）および前記第２ハーフキャリパ（１３）が配置される、電気モータアセンブリ（１）。
【請求項５】
請求項１から４のいずれか１つの電気モータアセンブリ（１）において、
前記エンジンケーシング（４）が、
前記フィフスホイールベアリング（１０）にキー結合された支持板（１４）と、
前記支持板（１４）の周囲に取り付けられたステータハウジング（１５）と
を有する、および／または、
前記ステータハウジング（１５）が、前記ステータ巻線（１７）と、前記ステータ巻線（１７）の周囲に配置されたステータラミネーション（１８）とを有する、および／または、
前記ロータ（５）が、前記ロータシーリングフランジ（１６）を有し、前記ステータハウジング（１５）が、前記ロータシーリングフランジ（１６）に対して対向しかつシールされている、電気モータアセンブリ（１）。
【請求項６】
請求項１から５のいずれか１つの電気モータアセンブリ（１）において、
前記ロータ（５）が、前記ステータ巻線（１７）および前記ステータラミネーション（１８）に対向するように永久磁石（２０）が結合されているロータリング（１９）を有する、および／または、
前記ロータリング（１９）が、前記ホイールシャフト（６）に取り付けられている、および／または、
前記ホイールシャフト（６）が、前記ロータリング（１９）と、前記ディスク（７）が接続された対向する第２ロータフランジ（２２）とが取り付けられた第１ホイールフランジ（２１）を有する、電気モータアセンブリ（１）。
【請求項７】
請求項１から６のいずれか１つの電気モータアセンブリ（１）において、
前記電気モータアセンブリ（１）が、ベアリングカートリッジ（２３）を備え、前記ベアリングカートリッジ（２３）が、前記ロータリング（１９）が接続されかつホイールのハブ（２４）への接続に適した第１ホイールフランジ（２１）が設けられた内部フィフスホイール（９）を有し、前記内部フィフスホイール（９）が、前記ディスク（７）が接続された第２ホイールフランジ（２２）を有する、および／または、
前記ベアリングカートリッジ（２３）が、前記支持板にキー結合されている外部フィフスホイール（２６）を有する、電気モータアセンブリ（１）。
【請求項８】
請求項１から７のいずれか１つの電気モータアセンブリ（１）において、
前記エンジンケーシング（４）が、蓋状ステータハウジング（１５）が接続され支持されて、前記エンジンケーシング（４）を前記ロータのシーリングフランジ（１６）に対して閉ざしてシールする支持板（１４）を有する、および／または、
前記エンジンケーシング（４）が、前記ディスクブレーキキャリパ（８）を支持している、および／または、
前記エンジンケーシング（４）が、フォーク（１１）に接続され、前記ホイールシャフト（６）に配置されたベアリング（１０）にキー結合されている、電気モータアセンブリ。
【請求項９】
請求項１から８のいずれか１つの電気モータアセンブリ（１）において、
前記エンジンカートリッジ（２）が、前記ホイールシャフト（６）に設けられた内部フィフスホイールベアリング（９）を介して、自動車両（２７）のホイール（２５）に接続されている、電気モータアセンブリ（１）。
【発明の詳細な説明】
【技術分野】
【０００１】
本発明は、自動車両および制動（motor vehicle and brake）に用いる電気モータアセンブリに関する。
【０００２】
特に、本発明は、請求項１の前文に定義されているような自動車両および制動に用いる電気モータアセンブリに関する。
【背景技術】
【０００３】
電気スクータあるいは自動車両は、ホイール内に収容された電気モータを備えていることが知られている。
【０００４】
ホイール内の電気モータの配置に起因して、しばしば、ホイールハブに接続されたディスクブレーキのディスクを配置することができず、また、ホイールのリム内にキャリパボディを配置することができない。リムは、略完全あるいは完全に電気モータによって占められている。
【０００５】
その結果、電気モータアセンブリおよび制動に結合されているホイールの実際の解決策は、特に、軸方向、あるいは、ホイール自体の回転軸に平行な方向において、煩雑である。
【０００６】
ホイールに収容されている電気モータが、例えばＫＲ１０１２１９０５９に記載されているように、ステータに対して外部に配置されたロータを有している場合に、ディスクブレーキをホイールに対して接続できる。
【０００７】
実際、ディスクブレーキは、モータのフォークおよびサスペンションが接続されている軸にキー結合されて（keyed onto）配置されているロータに接続可能である。サスペンションには、次にブレーキキャリパが取り付けられる。
【０００８】
ホイールを内部に容易に置き換えることができ、ごみ、破片など取り除いたままにすることができ、また、置き換えが簡単かつ容易である電気モータカートリッジを形成するために、ステータの内部に配置されたロータを有する電気モータを代わりに用いた場合、リム内に制動（ブレーキング）システムを配置することは、実質的に不可能である。
【０００９】
このため、スクータホイールのディスクブレーキを配置して、特に軸方向におけるサイズを小さくするニーズが強く感じられる。
【００１０】
実際、寸法の小さいホイールリムは、しばしばスクータに用いられ、径方向に延びることはできないが、所望のトルクを発揮するために幅を大きくする必要があるモータ用に軸方向に十分なスペースを空けることが基本になっている。
【００１１】
さらに、取り付けおよび特に修理が簡単かつ安全な電気牽引を有するスクータ用の制動システムを作るニーズが強く感じられる。
【発明の概要】
【００１２】
従って、本発明の目的は、前述のニーズを満たすことができかつ背景技術の問題を解決できる自動車両および制動に用いる電気モータアセンブリを提供することである。
【００１３】
これらおよび他の問題は、請求項１に従ったアセンブリにより達成される。特定の有利な実施形態が、従属請求項の目的である。
【図面の簡単な説明】
【００１４】
本発明の自動車両および制動に用いる電気モータアセンブリの更なる特徴および利点が、添付の図面に関連して、以下の好ましいが限定されない実施形態の記載に示される。
【図１】図１は、ホイールのリム内に取り付けられた電気モータに接続されたスクータまたは自動車両のフォークの一部を示す不等角投影図である。
【図２】図２は、図１とは反対側から見た図１のアセンブリの不等角投影図である。
【図３】図３は、図１のアセンブリの正面図である。
【図４】図４は、更なる実施形態の自動車両のホイール内に取り付けられたアセンブリの断面の不等角投影図である。
【図５】図５は、V-V線に沿った図３のアセンブリの断面図である。
【図６】図６は、VI-VI線に沿った図３のアセンブリの断面図である。
【図７】図７は、図１のアセンブリの分解不等角投影図である。
【発明を実施するための形態】
【００１５】
以下に示す実施形態に共通する要素および要素の一部は、同じ符号を用いて示されている。
【００１６】
図面を参照すると、自動車両および制動に用いる電気モータアセンブリ１は、エンジンカートリッジ２を備えている。このエンジンカートリッジ２は、エンジンケーシング４に接続されたステータ３を有している。また、エンジンカートリッジ２は、さらに、ホイールシャフト６に接続されたロータ５を有している。
【００１７】
前記アセンブリ１は、さらに、ホイールシャフト６に接続されたディスクブレーキのディスク７を備えている。
【００１８】
有利なことに、前記アセンブリ１は、さらに、ディスク７の両側に配置されかつエンジンケーシング４に接続されたディスクブレーキキャリパ８を備えている。
【００１９】
一実施形態では、ホイールシャフト６が、内部ベアリングフィフスホイール（inner bearing fifth wheel）９を形成している。また、一実施形態では、ベアリング１０（特にベアリング本体２８および外部フィフスホイール２６）が、内部ベアリングフィフスホイール９に結合されている。
【００２０】
一実施形態では、エンジンケーシング４は、ベアリング１０にキー結合されている。また、一実施形態では、ホイールシャフト６は、エンジンケーシング４回りに回転するように支持されている。
【００２１】
一実施形態では、前記アセンブリ１は、さらに、エンジンケーシング４に堅く取り付けられている自動車両用のフォーク１１を備えている。
【００２２】
一実施形態では、前記アセンブリ１は、さらに、必須ではないが、エンジンケーシング４に一体に形成されている、あるいは、エンジンケーシング４と共にワンピース（One piece）を形成するように接続されている自動車両用のフォーク１１を備えている。
【００２３】
一実施形態では、前記アセンブリ１が、フォーク１１に堅く接続された、あるいは、フォーク１１に一体に形成された第１ハーフキャリパ１２を備えている。
【００２４】
一実施形態では、前記アセンブリ１が、エンジンケーシング４に堅く接続された、あるいは、エンジンケーシング４に一体に形成された第１ハーフキャリパ１２を備えている。
【００２５】
一実施形態では、前記アセンブリ１が、さらに、第１ハーフキャリパ１２に結合されてブレーキディスク７の両側で前記キャリパ８を配置する、反対側に結合可能な第２ハーフキャリパ１３を備える。
【００２６】
一実施形態では、第１ハーフキャリパ１２と前記ディスク７との間に、第１ブレーキパッド２９が配置されている。この第１ブレーキパッド２９は、例えば、第１ハーフキャリパ１２に設けられているピストンシート３１に収容されたピストン３０によって、制動作用（braking action）を働かせるように作用する。例えば、一実施形態では、ピストン３０が２つである。
【００２７】
一実施形態では、第２ハーフキャリパ１３が、ピストンシートにおいて、ディスクブレーキディスク７に対向する第２ブレーキパッド３３を制動するのに適しているピストン３２を収容している。例えば、一実施形態では、ピストン３２は２つである。
【００２８】
一実施形態では、第２ハーフキャリパ１３は、スタッドボルト３４により第１ハーフキャリパ１２に取り付けられている。スタッドボルト３４は、第１ハーフキャリパ１２の本体に設けられたねじ台座３５に、堅く接続されている。
【００２９】
一実施形態では、第１ハーフキャリパ１２は、エンジンケーシング４に一体に形成されているか、または、フォーク１１に一体に形成されている。
【００３０】
一実施形態では、エンジンケーシング４が、ベアリング１０にキー結合された支持板１４を有している。また、一実施形態では、エンジンケーシング４が、さらに、支持板１４の周囲に取り付けられたステータハウジング１５を有している。
【００３１】
一実施形態では、ステータハウジング１５は、ステータ巻線１７と、ステータ巻線１７の周囲に配置されてロータ５に対向するのに適したステータラミネーション(stator laminations)１８とを有する。
【００３２】
一実施形態では、ロータ５が、ロータシーリングフランジ１６を有している。また、一実施形態では、ステータハウジング１５は、ロータシーリングフランジ１６に対向してシールされている。これにより、エンジンケーシング４が、外気に対して実質的にシールされ、ごみ又は破片のモータ２内への侵入が制限される。
【００３３】
その結果、エンジンケーシング４およびロータ５を有するモータは、ロータ５およびステータ３を分解する必要なく交換できるエンジンカートリッジ２を形成する。
【００３４】
一実施形態では、ロータ５は、永久磁石２０が結合されたロータリング１９を有する。ロータリング１９は、ステータ巻線１７とステータラミネーション１８とに対向するように配置されている。
【００３５】
一実施形態では、ロータリング１９が、ホイールシャフト６に取り付けられている。
【００３６】
一実施形態では、ホイールシャフト６が、ロータリング１９が取り付けられた第１ホイールフランジ２１と、ディスクブレーキディスク７が接続された対向する第２ホイールフランジ２２とを有している。
【００３７】
一実施形態では、前記アセンブリ１は、さらに、ベアリングカートリッジ２３を備えている。また、一実施形態では、ベアリングカートリッジ２３は、ロータリング１９が取り付けられた第１ホイールフランジ２１が設けられた内部フィフスホイール９を有している。ホイールフランジ２１は、自動車両のホイール２５のハブ２４に取り付けるのに適している。また、一実施形態では、内部フィフスホイール９が、ディスクブレーキディスク７が接続された第２ホイールフランジ２２を有している。
【００３８】
一実施形態では、ベアリングカートリッジ２３は、支持板１４がキー結合される外部フィフスホイール２６を有している。
【００３９】
一実施形態では、エンジンケーシング４は、蓋状ステータハウジング１５が接続され支持されて、エンジンケーシング４をロータシーリングフランジ１６に対して閉ざしてシールする支持板１４を有する。
【００４０】
一実施形態では、エンジンケーシング４は、ディスクブレーキキャリパ８を支持している。また、一実施形態では、エンジンケーシング４は、フォーク１１に接続されている。また、一実施形態では、エンジンケーシング４は、ホイールシャフト６に配置されたベアリング１０にキー結合されている。
【００４１】
一実施形態では、エンジンケーシング４が、ホイールシャフト６に設けられた内部ベアリングフィフスホイール９によって、自動車両２７の自動車両用ホイール２５に接続されている。
【００４２】
前述の解決策によって、軸方向の容量を低減でき、ホイールのリム内の電気モータの位置に加えて、キャリパディスクアセンブリおよび自動車両のサスペンションのアームを軸方向に隣り合って配置することができる。
【００４３】
さらに、前述の解決策によって、ディスクブレーキキャリパを電気モータのケーシングまたはステータと一体化することができる。
【００４４】
前述の解決策によって、制動システムを容易に維持することができ、電気モータを分解することなく、キャリパ、特にハーフキャリパおよびディスクを分解することができる。
【００４５】
当業者は、前記実施形態に対して様々な変更および適合を行ったり、本発明の範囲から離れることなく、偶発的な必要性（contingent needs）および明細書を満たす機能的に等しい他の要素を置き換えたりすることができる。
【００４６】
例えば、一実施形態では、軸方向に固定されたブレーキディスクの制動面に対して反対側のパッドに制動効果を有するように作動する向かいあったピストンを有する固定されたキャリパの代わりに、一方のみにピストンを有し軸方向に浮動するディスクの両側に配置されたキャリパを設けてもよい。
【００４７】
他の実施形態では、ブラケットが、電気モータのケーシングまたはステータに接続されている、あるいは、一体になっているフローティングキャリパを設けてもよい。フローティングキャリパは、ブラケットに対して浮動しかつスライドする。
【００４８】
他の実施形態では、内部ロータを有する電気モータに代えて、外部ロータを有する電気モータを設けてもよい。
【００４９】
他の実施形態では、ディスクブレーキディスク７が、自動車両用のフォーク１１とエンジンカートリッジ２との間に配置されている。
【符号の説明】
【００５０】
１  自動車両および制動に用いる電気モータアセンブリ
２  エンジンカートリッジ
３  ステータ
４  エンジンケーシング
５  ロータ
６  ホイールシャフト
７  ディスクブレーキディスク
８  ディスクブレーキキャリパ
９  内部ベアリングホイール
１０  ベアリング
１１  自動車両用のフォーク
１２  第１ハーフキャリパ
１３  第２ハーフキャリパ
１４  支持板
１５  ステータハウジング
１６  ロータシーリングフランジ
１７  ステータ巻線
１８  ステータラミネーション
１９  ロータリング
２０  永久磁石
２１  第１ホイールフランジ
２２  第２ホイールフランジ
２３  ベアリングカートリッジ
２４  ハブ
２５  ホイール
２６  外部ホイール
２７  自動車両
２８  ベアリングの回転体
２９  第１ブレーキパッド
３０  ピストン
３１  ピストンシート
３２  ピストン
３３  第２ブレーキパッド
３４  スタッドボルト
３５  ねじ台座
３６ロータおよびステータ間のシーリングカスケット
【図１】
2018511517.tif 000003
【図２】
2018511517.tif 000004
【図３】
2018511517.tif 000005
【図４】
2018511517.tif 000006
【図５】
2018511517.tif 000007
【図６】
2018511517.tif 000008
【図７】
2018511517.tif 000009
【国際調査報告】
2018511517.tif 000010
2018511517.tif 000011
2018511517.tif 000012